(57)【要約】【課題】内蓋と蓋パッキンの両方を着脱式に設けつつ、蓋パッキンの取付方向に拘わらず、内蓋とフランジ間からおねばや蒸気が漏出しないようにする。【解決手段】上記内蓋４の外周縁４ａよりも径方向内側の部分に上記蓋本体３に対する着脱用のブッシュ１０を設け、上記外周縁４ａに着脱可能に溝嵌合される環状の蓋パッキン１１は、その嵌合溝１１ａの溝底中心Ｃを境とした一方の側周部１１ｂを上記内蓋４の上面側に密接させ、他方の側周部１１ｃを上記内蓋の下面側に密接させる取付方向、および上記一方の側周部１１ｂを上記内蓋４の下面側に密接させ、上記他方の側周部１１ｃを上記内蓋４の上面側に密接させる取付方向のいずれでも上記外周縁４ａに対して溝嵌合可能であり、いずれの取付方向の場合でも、上記内蓋４の下面側に密接する方の側周部は、上記蓋本体３の閉動により上記炊飯鍋１のフランジ１ａに押し付けられる構成とした。【選択図】図５
2007097891.tif 000002
【特許請求の範囲】
【請求項１】
炊飯鍋を収容する器体に開閉可能に取り付けた蓋本体と、上記炊飯鍋を閉塞する内蓋とを備えた炊飯器において、上記内蓋の外周縁よりも径方向内側の部分に上記蓋本体に対する着脱用の取付部を設け、上記内蓋の外周縁に着脱可能に溝嵌合される環状の蓋パッキンを備え、この蓋パッキンは、その嵌合溝の溝底中心を境とした一方の側周部を上記内蓋の上面側に密接させ、他方の側周部を上記内蓋の下面側に密接させる取付方向、および上記一方の側周部を上記内蓋の下面側に密接させ、上記他方の側周部を上記内蓋の上面側に密接させる取付方向のいずれでも上記内蓋の外周縁に対して溝嵌合可能であり、いずれの取付方向の場合でも、上記内蓋の下面側に密接する方の側周部は、上記蓋本体の閉動により上記炊飯鍋のフランジに押し付けられることを特徴とする炊飯器。
【請求項２】
上記内蓋の外周縁を上記内蓋の上面側に高さを有する立壁状とし、上記一方の側周部を上記内蓋の外周縁と径方向に係合する断面鉤状とした請求項１に記載の炊飯器。
【請求項３】
上記一方の側周部を上記内蓋の下面側に密接させる取付方向の場合に、上記一方の側周部に対して反対の他方の側周部が上記内蓋と上記蓋本体間に介在し、かつ上記蓋本体の閉動により弾性圧縮状態となる請求項２に記載の炊飯器。
【請求項４】
上記一方の側周部の一部は、上記一方の側周部を上記内蓋の上面側に密接させる取付方向の場合に上記蓋本体側を向く突出部となっている請求項１から３のいずれかに記載の炊飯器。
【請求項５】
上記突出部は、上記一方の側周部を上記内蓋の下面側に密接させる取付方向の場合に上記炊飯鍋の上記フランジに押し付けられる請求項４に記載の炊飯器。
【請求項６】
上記内蓋の上記取付部は、上記蓋本体の下面に突出した装着軸を嵌入させるブッシュからなり、上記蓋パッキンを未装着のまま上記蓋本体が閉動されると、上記内蓋と上記炊飯鍋の上記フランジとが面当りすると共に、上記ブッシュが上記蓋本体の閉動により弾性圧縮状態となる請求項１から５のいずれかに記載の炊飯器。
【発明の詳細な説明】
【技術分野】
【０００１】
この発明は、炊飯鍋を収容する器体に取り付けた蓋本体と、上記炊飯鍋を閉塞する内蓋とを備えた炊飯器に関する。
【背景技術】
【０００２】
この種の炊飯器では、炊飯鍋を収容する器体に対し蓋本体がヒンジ機構により開閉可能に、かつ開方向に付勢された状態で取り付けられ、炊飯鍋と器外とを連通させる蒸気口が設けられている。
【０００３】
内蓋は、おねばなどで汚れるため、水洗い可能であることが望ましい。このため、従来から内蓋を着脱式にすることが行われている。例えば、非加圧調理式や炊飯容量の小さな炊飯器では、蓋サイズが比較的小型になるので、蓋本体の下面に突出する装着軸に嵌入されるブッシュを上記内蓋に設け、ブッシュと装着軸の密着・離脱により内蓋を蓋本体に対し着脱可能とした簡単な蓋構造が採用されている（特許文献１参照）。
【０００４】
前掲の特許文献１の炊飯器では、蓋本体が閉じられた状態で、内蓋と炊飯鍋のフランジとが面当りすると共に、ブッシュが蓋本体に押されて弾性反発するように設けられている。内蓋とフランジ間にはブッシュの弾性反発により接触圧が生じ、おねばや蒸気が内蓋とフランジ間より漏出することは防止される。このため、内蓋とフランジ間を密封する蓋パッキンは設けられていない。
【０００５】
しかしながら、特許文献１のような蓋構造では、炊飯中におねばの対流や蒸気圧により内蓋が装着軸に沿って上下に微変動したり、炊飯鍋が振動したりするため、内蓋とフランジ間から僅かながら蒸気が漏出することがある。この漏出蒸気は、蓋本体と器体の閉じ合わせ目から器外に漏れる。このため、器外に漏れた蒸気により蓋本体や器体の表面が曇ることがあった。
【０００６】
そこで、内蓋とフランジの面接触による密封構造に代えて内蓋の外周に蓋パッキンを着脱可能に設けることが考えられる。この蓋パッキンは、おねばなどで汚れるため、着脱式に設けることが望ましい。
【０００７】
【特許文献１】特開平１０−２０１６１９号公報（図１から図３、[０００２]、[０００３]）
【発明の開示】
【発明が解決しようとする課題】
【０００８】
しかしながら、内蓋と蓋パッキンの両方を着脱式にすると、ユーザは、内蓋を任意の向きに保持して蓋パッキンを装着するため、蓋パッキンの取付方向を誤ったまま内蓋を蓋本体に装着する恐れがある。
【０００９】
そこで、この発明の課題は、内蓋と蓋パッキンの両方を着脱式に設けつつ、蓋パッキンの取付方向に拘わらずに内蓋とフランジ間からおねばや蒸気が漏出しないようにすることである。
【課題を解決するための手段】
【００１０】
上記の課題を解決するため、この発明は、炊飯鍋を収容する器体に開閉可能に取り付けた蓋本体と、上記炊飯鍋を閉塞する内蓋とを備えた炊飯器において、上記内蓋の外周縁よりも径方向内側の部分に上記蓋本体に対する着脱用の取付部を設け、上記内蓋の外周縁に着脱可能に溝嵌合される環状の蓋パッキンを備え、この蓋パッキンは、その嵌合溝の溝底中心を境とした一方の側周部を上記内蓋の上面側に密接させ、他方の側周部を上記内蓋の下面側に密接させる取付方向、および上記一方の側周部を上記内蓋の下面側に密接させ、上記他方の側周部を上記内蓋の上面側に密接させる取付方向のいずれでも上記内蓋の外周縁に対して溝嵌合可能であり、いずれの取付方向の場合でも、上記内蓋の下面側に密接する方の側周部は、上記蓋本体の閉動により上記炊飯鍋のフランジに押し付けられる構成を採用した。
【００１１】
上記内蓋の外周縁よりも径方向内側の部分に上記蓋本体に対する着脱用の取付部を設けた構成を採用することにより、内蓋の外周縁に内蓋を蓋本体に着脱するためのロック構造を設けることなく、蓋本体に対して上記内蓋を着脱させることができる。
また、内蓋の外周縁にロック構造がないことを利用して、上記内蓋の外周縁に着脱可能に溝嵌合される環状の蓋パッキンを備えた構成を採用することが可能になる。
ここで、この蓋パッキンは、嵌合溝の溝底中心を境とした一方の側周部を上記内蓋の上面側に密接させ、他方の側周部を上記内蓋の下面側に密接させる取付方向、および上記一方の側周部を上記内蓋の下面側に密接させ、上記他方の側周部を上記内蓋の上面側に密接させる取付方向のいずれでも上記内蓋の外周縁に対して溝嵌合可能である構成を採用することにより、いずれの取付方向の場合でも、蓋パッキンは内蓋の外周縁に沿ってしっかりと食い付く。
そして、いずれの取付方向の場合でも、上記内蓋の下面側に密接する方の側周部は、上記蓋本体の閉動により上記炊飯鍋のフランジに押し付けられる構成を採用することにより、蓋パッキンはいずれの取付方向の場合でも側周部の押し付け時にずれ動くことがなく、蓋本体が閉じ状態にある間、上記内蓋の下面側に密接する方の側周部により上記内蓋と上記炊飯鍋との間を密封された状態が保たれる。
したがって、この発明の構成によれば、内蓋と蓋パッキンの両方を着脱式に設けつつ、蓋パッキンの取付方向に拘わらずに内蓋とフランジ間からおねばや蒸気が漏出しないようにすることができる。
【００１２】
上記構成において、上記内蓋の外周縁を上記内蓋の上面側に高さを有する立壁状とし、上記一方の側周部を上記内蓋の外周縁と径方向に係合する断面鉤状とした構成を採用すれば、内蓋の外周縁を上面側に高さを有する立壁状としたので、内蓋の外周縁の剛性が高まる。このため、側周部の押し付け時に内蓋の外周縁が変形し難くなり、その結果、蓋パッキンの密封効果をより確実に発揮させることができる。
さらに、上記一方の側周部を上記内蓋の上面側に接触させる取付方向の場合には、一方の側周部が上記内蓋の外周縁とこの上端越しで径方向に係合する鉤係合状態となるため、単に内蓋と平面接触する場合よりも蓋パッキンの取付強度が高まる。
また、上記一方の側周部を上記内蓋の下面側に接触させる取付方向の場合には、一方の側周部が内蓋の下面に当ってへしゃげ、断面鉤状から下に凸のリップ状に変形する。その結果、一方の側周部とフランジとの接触圧は、平面接触する場合と比して高まり、この取付方向における密封効果をより確実に得ることができる。
【００１３】
さらに、上記内蓋の外周縁を立壁状とし、上記一方の側周部を断面鉤状とする構成において、上記一方の側周部を上記内蓋の下面側に密接させる取付方向の場合に、上記一方の側周部に対して反対の他方の側周部が上記内蓋と上記蓋本体間に介在し、かつ上記蓋本体の閉動により弾性圧縮状態となる構成を採用すれば、他方の側周部の弾性反発力によっても上記一方の側周部がフランジに押し付けられるようになり、この取付方向における密封効果をより高めることができる。
【００１４】
上記構成においては、蓋本体が閉じた状態で、内蓋の上面側に密接する方の側周部と蓋本体とが当接する構成が、内蓋のガタツキを防止する点で理想的である。
しかし、実際には、上記の当接を設計上で定めたとしても、各部材の成形誤差により上記の側周部と蓋本体との間に隙ができ得る。
【００１５】
そこで、上記構成において、上記一方の側周部の一部は、上記一方の側周部を上記内蓋の上面側に密接させる取付方向の場合に上記蓋本体側を向く突出部となっている構成を採用すれば、一方の側周部を内蓋の上面側に密接させる取付方向を正規の取付方向とすることにより、突出部が内蓋のガタツキを抑制するようになる。もちろん、上記他方の側周部の一部をも同様の突出部とすれば、いずれの取付方向の場合でも蓋のガタツキを抑制することができる。
【００１６】
ここで、上記突出部は、上記一方の側周部を上記内蓋の下面側に密接させる取付方向の場合に上記炊飯鍋の上記フランジに押し付けられる構成を採用することができる。この構成によれば、上記一方の側周部とフランジとの接触面積が減少する結果、両部が平坦に接触する場合と比して上記突出部の部分で接触圧がより増大するため、密封効果をより高めることができる。
【００１７】
上記構成において、上記内蓋の上記取付部は、上記蓋本体の下面に突出した装着軸を嵌入させるブッシュからなり、上記蓋パッキンを未装着のまま上記蓋本体が閉動されると、上記内蓋と上記炊飯鍋の上記フランジとが面当りすると共に、上記ブッシュが上記蓋本体の閉動により弾性圧縮状態となる構成を採用すれば、蓋パッキンを付け忘れた状態で炊飯が実施された場合でも、おねばや蒸気の漏出を可及的に抑制することができる。
【発明の効果】
【００１８】
上述のように、この発明によれば、内蓋と蓋パッキンの両方を着脱式に設けつつ、蓋パッキンの取付方向に拘わらずに内蓋とフランジ間からおねばや蒸気が漏出しないようにすることができる。
【発明を実施するための最良の形態】
【００１９】
以下、この発明の最良の実施形態を添付図面に基づいて説明する。
図１に示した炊飯器は、炊飯鍋１を収容する器体２に取り付けた蓋本体３と、炊飯鍋１を閉塞する内蓋４とを備えている。
【００２０】
蓋本体３は、器体後部のヒンジ機構５により開閉可能に設けている。蓋本体３の蓋フック６が器体肩部２ａのフック受け７に掛かると、キックばね８による開方向の付勢に抗して器体肩部２ａと閉じ合う閉状態になる。
【００２１】
蓋本体３の下面中央部に突出する装着軸９を設け、内蓋４の外周縁４ａよりも径方向内側の部分には、装着軸９を嵌入させるブッシュ１０（着脱用の取付部）を設けている。ブッシュ１０は、装着軸９を嵌入させると、装着軸９の外周に弾性密着するようになっている。これにより、内蓋４は、この外周縁４ａよりも径方向内側で蓋本体３に装着される。内蓋４は、外周縁４ａに対し着脱可能に溝嵌合された環状の蓋パッキン１１と蓋リング３ａとの間に指を掛けて押し下げられることにより、ブッシュ１０が装着軸９から抜けて離脱し、蓋本体３から外れる。
【００２２】
内蓋４の外周縁４ａは、図１、図２に示すように内蓋４の上面側に高さｈを有する立壁状となっており、蓋本体３が閉じられると炊飯鍋１のフランジ１ａの上方に位置するように設けている。内蓋４の下面側には、その外周縁４ａに沿って平坦面４ｂを形成している。
【００２３】
この平坦面４ｂは、図３に示すように、上記蓋パッキン１１が未装着のまま蓋本体３が閉じられると、炊飯鍋１のフランジ１ａと面当りするように設けている。この面当りは、蓋本体３が上記の閉状態となる前に生じるようにしている。このため、面当り状態のまま蓋本体３がさらに閉じられることになり、ブッシュ１０の上部伸縮輪１０ａが蓋本体３に押されて圧縮状態となる（図１参照）。すなわち、上部伸縮輪１０ａは弾性反発力を生じ、この弾性反発力により内蓋４は全体として下方に押され、その平坦面４ｂと炊飯鍋１のフランジ１ａとが接触圧をもって面当りする。したがって、蓋パッキン１１が未装着の状態のまま炊飯が開始されても、炊飯時の蒸気の殆どは、内蓋４と蓋本体３を貫通するように設けた蒸気口パイプ１２から排出され、内蓋４とフランジ１ａ間から漏出しない。
【００２４】
本来の使用状態では、図２、図４に示すように、上記蓋パッキン１１は、その嵌合溝１１ａを内蓋４の外周縁４ａに対して着脱可能に嵌合される。このため、蓋パッキン１１を外して水洗いや浸け洗いすることが可能になり、良好な清掃性を確保することができる。
【００２５】
この蓋パッキン１１のうち、嵌合溝１１ａの溝底中心Ｃを境とした一方の側周部１１ｂは、内蓋４の外周縁４ａと径方向に係合する断面鉤状となっている。一方の側周部１１ｂに対して反対の他方の側周部１１ｃの一部は、上記内蓋の外周縁よりも他方側かつ径方向内側に突出する舌片状の突出部１１ｄとなっている。
【００２６】
蓋パッキン１１は、図５（ａ）に示すように、一方の側周部１１ｂを内蓋４の上面側に密接させ、他方の側周部１１ｃを内蓋４の下面側に密接させる取付方向（以下、単に正規の取付方向という）、また、図５（ｂ）に示すように、一方の側周部１１ｂを内蓋４の下面側に密接させ、他方の側周部１１ｃが内蓋４の上面側に密接させる取付方向（以下、単に逆付方向という）のいずれの場合でも、少しずつ拡径方向に引き伸ばしながら内蓋４の外周縁４ａに嵌められる柔軟性を有する。
【００２７】
蓋パッキン１１が上記正規の取付方向である場合を図５（ａ）に基づいて述べる。一方の側周部１１ｂは、内蓋４の外周縁４ａの上端越しで径方向に引っ掛かるように概ね密着し、他方の側周部１１ｃは、内蓋４の平坦面４ｂに密着する。上記突出部１１ｄは、内蓋４の外周縁４ａよりも他方側、すなわち下方側、かつ径方向内側に突出する。なお、図５（ａ）では、突出部１１ｄの自然状態を想像線で示した。
【００２８】
蓋本体３が閉じられると、上述のように内蓋４の平坦面４ｂが炊飯鍋１のフランジ１ａに先当りするように設けられているため、上記突出部１１ｄは、内蓋４とフランジ１ａ間で上下に挟まれ、蓋本体３によりフランジ１ａに押し付けられる。これにより、おねばや蒸気が内蓋４とフランジ１ａ間から漏出することは確実に防止される。
【００２９】
次に、蓋パッキン１１が上記逆付方向である場合を図５（ｂ）に基づいて述べる。一方の側周部１１ｂは、内蓋４の平坦面４ｂに密接し、他方の側周部１１ｃは、内蓋４の外周縁４ａの上端に掛かる。ここで、一方の側周部１１ｂは、上述のように断面鉤状となっているため、平坦面４ｂに当ると、その柔軟性より下に凸のリップ状に潰れる。
【００３０】
蓋本体３が閉じられると、上述のように内蓋４の平坦面４ｂが炊飯鍋１のフランジ１ａに先当りするように設けられているため、一方の側周部１１ｂは、フランジ１ａに当接し、蓋本体３によりフランジ１ａに押し付けられる。これにより、おねばや蒸気が内蓋４とフランジ１ａ間から漏出することは確実に防止される。
【００３１】
以上において述べたように、蓋パッキン１１の取付方向に拘わらず、いずれか一方の側周部１１ｂ、１１ｃが蓋本体３により必ず上記フランジ１ａに押し付けられるので、内蓋４や炊飯鍋１が微変動しても内蓋４とフランジ１ａ間からおねばや蒸気が漏出することは防止される。
【００３２】
この実施形態では、上記一方の側周部１１ｂを断面鉤状に設けたので、内蓋４の外周縁４ａを上面側に高さを有する立壁状として外周縁４ａの剛性を高めながら、一方の側周部１１ｂが正規の取付方向の場合に内蓋４の外周縁４ａと径方向に鉤係合するようになり、単に内蓋４の上面と平面接触する場合よりも蓋パッキン１１の取付強度を高めることができる（図５（ａ）参照）。
【００３３】
また、上記一方の側周部１１ｂは逆付方向の場合にリップ状に潰れるので、一方の側周部１１ｂとフランジ１ａとの接触圧は、平面接触する場合と比して高められる（図５（ｂ）参照）。すなわち、上記一方の側周部１１ｂを断面鉤状とすれば、一方の側周部１１ｂによる密封効果をより高めることができる。なお、内蓋４の外周縁４ａの上端側を丸めたのは、蓋パッキン１１の着脱時に切り傷を負わせることを防止すると共に、剛性をより高めるためである。
【００３４】
また、この実施形態では、上記他方の側周部１１ｃ、突出部１１ｄを、上記逆付方向の場合に上記内蓋４と上記蓋本体３間に介在し、かつ上記蓋本体３の閉動により弾性圧縮状態となるように設けている（図５（ｂ）参照）。具体的には、他方の側周部１１ｃの突出部１１ｄは、上記逆付方向の場合に、内蓋４の外周縁４ａよりも他方側、すなわち上方側に、かつ径方向内側に突出する形状のため、内蓋４と蓋本体３間に介在することになる。蓋本体３の下面と上記フランジ１ａ間は、蓋本体３が閉じられると、一方の側周部１１ｂがフランジ１ａに当った後に、突出部１１ｄが蓋本体３の閉じ動作により径方向内側に曲げられるように設けている。蓋本体３が閉状態になると、突出部１１ｄは、内蓋４の外周縁４ａと蓋本体３間の対向隙間で上下方向成分をもった弾性反発力を生じ、内蓋４を外周縁４ａに沿ってフランジ１ａに押し付ける。この結果、一方の側周部１１ｂは、上記ブッシュ１０の上部伸縮輪１０ａによる弾性反発力に加えて、突出部１１ｄによる弾性反発力でフランジ１ａに押し付けられるので、密封効果をより確実に発揮するようになる。
【００３５】
また、この実施形態では、蓋本体３の下面と上記フランジ１ａ間は、上記逆付方向の場合に他方の側周部１１ｃが内蓋４の外周縁４ａの上端越しに密接させた状態で上記突出部１１ｄを介在させるのに十分な空間となっているが、上記正規の取付方向の場合には、内蓋４の外周縁４ａと蓋本体３間が離間する（図５（ａ）参照）。そこで、上記一方の側周部１１ｂの一部は、上記正規の取付方向の場合に上記蓋本体３側を向く突出部１１ｅとなっている。これにより、上記正規の取付方向における内蓋４の上下動が突出部１１ｅにより抑制される。
【００３６】
また、突出部１１ｅは、上記逆付方向の場合に上記炊飯鍋１のフランジ１ａに押し付けられるように設けられている（図５（ｂ）参照）。これにより、上記一方の側周部１１ｂとフランジ１ａとの接触面積は、両部が平坦に接触する場合と比して減少する。その結果、突出部１１ｅの部分で接触圧がより増大するため、上記一方の側周部１１ｂによる密封効果がより高められる。
【００３７】
なお、上記他方の側周部１１ｃ側の突出部１１ｄは、上記逆付方向の場合に蓋本体３と内蓋４の間に介在して弾性圧縮状態となるので、この逆付方向の場合にも内蓋４の上下動は突出部１１ｄにより抑制される（図５（ｂ）参照）。また、突出部１１ｄは、上記正規の取付方向の場合には、内蓋４とフランジ１ａ間をシールし、蒸気の漏出を防止する（図５（ａ）参照）。
【００３８】
また、この実施形態では、上記内蓋４の平坦面４ｂと上記フランジ１ａとを、蓋パッキン１１が未装着の状態において蓋本体３が閉状態となる前に面当りする位置関係としたが、非接触の閉状態となる位置関係にすることもできる。例えば、上記正規の取付方向で上記突出部１１ｄがフランジ１ａに押し付けられ、上記逆付方向で突出部１１ｄの弾性反発により上記一方の側周部１１ｂがフランジ１ａに押し付けられるように設ければよい。
【図面の簡単な説明】
【００３９】
【図１】実施形態に係る炊飯器の全体構成を示す断面図
【図２】（ａ）図１の内蓋の下面図、（ｂ）（ａ）の内蓋の断面図
【図３】図１の蓋パッキンが未装着の状態として内蓋の外周縁部分を示した拡大断面図
【図４】図１の蓋パッキンの拡大断面図
【図５】（ａ）図１の蓋パッキンが正規の取付方向で蓋本体が閉じられた場合の作用図、（ｂ）図１の蓋パッキンが逆付方向で蓋本体が閉じられた場合の作用図
【符号の説明】
【００４０】
１  炊飯鍋
１ａ  フランジ
２  器体
２ａ  器体肩部
３  蓋本体
４  内蓋
４ａ  外周縁
４ｂ  平坦面
５  ヒンジ機構
６  蓋フック
７  フック受け
８  キックばね
９  装着軸
１０  ブッシュ
１０ａ  上部伸縮輪
１１  蓋パッキン
１１ａ  嵌合溝
１１ｂ  一方の側周部
１１ｃ  他方の側周部
１１ｄ、１１ｅ  突出部
１２  蒸気口パイプ
【図１】
2007097891.tif 000003
【図２】
2007097891.tif 000004
【図３】
2007097891.tif 000005
【図４】
2007097891.tif 000006
【図５】
2007097891.tif 000007